(57)【要約】【課題】本発明は、吸収性物品の着用時のずれが効果的に抑制されるとともに、着用時の着用者への密着性の良好な吸収性物品を提供することを目的とする。【解決手段】本発明は、液透過性のトップシートと、液不透過性のバックシートと、トップシート及びバックシートの間に配置された吸収体と、からなる吸収性物品であって、長手方向中央部における、バックシートの幅方向両端部に、下着又は併用する紙おむつのトップシートへの固定手段を有し、前記吸収体は、排尿域において、周囲から盛り上がった凸型立体形状部を有している、吸収性物品に関する。【選択図】図１
2018033734.tif 000002
【特許請求の範囲】
【請求項１】
液透過性のトップシートと、液不透過性のバックシートと、トップシート及びバックシートの間に配置された吸収体と、からなる吸収性物品であって、
長手方向中央部における、バックシートの幅方向両端部に、下着又は併用する紙おむつのトップシートへの固定手段を有し、
前記吸収体は、排尿域において、周囲から盛り上がった凸型立体形状部を有している、吸収性物品。
【請求項２】
前記固定手段が、メカニカルフック、粘着テープ、又は粘着剤である、請求項１に記載の吸収性物品。
【請求項３】
前記凸型立体形状部の長手方向の寸法が、２０ｍｍ以上２３０ｍｍ以下、幅方向の寸法が１０ｍｍ以上１８０ｍｍ以下、高さが２ｍｍ以上１０ｍｍ以下である、請求項１又は２に記載の吸収性物品。
【請求項４】
前記固定手段が設けられたバックシートの部位の、長手方向両端部側に、幅方向中心線側に向けた切れ込みが設けられており、
前記固定手段が設けられたバックシートの部位が、折り返し可能となっている、請求項１から３のいずれかに記載の吸収性物品。
【請求項５】
前記固定手段が設けられたバックシートの部位の、幅方向の寸法が、前記固定手段が設けられていないバックシートの幅方向の寸法と同じか、それよりも小さい、請求項４に記載の吸収性物品。
【発明の詳細な説明】
【技術分野】
【０００１】
本発明は、吸収性能、フィット性、漏れ防止性に優れた吸収性物品に関する。
【背景技術】
【０００２】
一般的に大人用紙おむつには、テープ止めタイプ、尿取りパッド、パンツタイプ等があり、これらの紙おむつは着用対象者の排泄における介護の必要度に応じて適宜選択されて使用される。これらの吸収性物品は、液透過性のトップシートと、液不透過性のバックシートと、両シートの間に配置された吸収体と、で構成されている。このような構成を採用することにより、尿等の体液は、吸収性物品のトップシートを透過して吸収体に吸収され、バックシートにより外部へ漏れないようになっている。
【０００３】
ところで、テープ止めタイプやパンツタイプの紙おむつは、それ自体を単独で使用する場合と、その内側に尿取りパッドを併用する場合があるが、現在は、尿取りパッドと併用し、吸収性物品である尿取りパッドを、トップシート上に重ねて使用する場合がほとんどである。これは、紙おむつ１枚当たりのコストが高いためで、テープ止めタイプやパンツタイプの紙おむつに比して安価な尿取りパッドで排泄物を吸収して保持した後、尿取りパッドのみを交換することで、排泄後においても、よりコストの高いテープ止めタイプやパンツタイプの紙おむつを交換せずに済み、経済的に低いコストで紙おむつを使用できるためである。
【０００４】
ここで、パンツタイプの紙おむつと併用される尿取りパッドについては、その全体を紙おむつの内装パッドの立体ギャザーの内側に収める必要があるため、尿取りパッドの長さ、幅、面積ともに、テープ止めタイプの紙おむつと併用される尿取りパッドよりも小さくせざるを得ない。このため、吸収性物品からの体液の漏れを防止しつつ、その吸収性能を十分に発揮させるためには、身体への密着性を向上させる必要がある。具体的には、着用者の股間部に隙間を作らせないよう、尿道口に尿取りパッドの吸収面を密着させることが必要である。
【０００５】
また、尿取りパッドについては、パンツタイプの紙おむつと併用したり、下着と着用者の間に挿入して使用したりした場合に、着用者の動きによって、その位置がずれてしまうこともある。特に、尿取りパッドを、パンツタイプの紙おむつと併用したり、下着と着用者の間に挿入して使用したりする着用者は、自ら歩くことができる者がほとんどであるため、尿取りパッドのずれは、比較的生じやすい現象であった。そして、このようにして、尿取りパッドと着用者の間に隙間ができたり、尿取りパッドがずれたりすることにより、尿取りパッドの着用感が悪化したり、漏れの原因になってしまったりすることが知られていた。
【０００６】
このような課題に対応した発明としては、例えば、特許文献１には、着衣に対する固定手段を、固定手段の端部が、吸収性物品の隅部に位置するように取り付けた、吸収性物品が開示されている。また、特許文献２には、吸収性物品のバックシートの裏面における背側に、一対の背側フックテープを、背側から腹側に向かって、裾広がりであるハの字状の形状をなすように固着した吸収性物品が開示されている。
【先行技術文献】
【特許文献】
【０００７】
【特許文献１】特開２００１−１４５６６２号公報
【特許文献２】特開２０１０−０４６１７３号公報
【発明の概要】
【発明が解決しようとする課題】
【０００８】
しかしながら、特許文献１及び２の吸収性物品のいずれについても、着用時の着用者への密着性が必ずしも十分ではないという問題があった。前述のとおり、吸収性物品におけるこのような不十分な密着性は、体液の漏れなどの問題を生起するおそれがあった。したがって、本発明は以上の課題に鑑みてなされたものであり、吸収性物品の着用時のずれが効果的に抑制されるとともに、着用時の着用者への密着性の良好な吸収性物品を提供することを目的とする。
【課題を解決するための手段】
【０００９】
本発明の発明者らは、上記課題に鑑み、鋭意研究を行った。その結果、長手方向中央部における、バックシートの幅方向両端部に、固定手段を有し、吸収体が、排尿域において、周囲から盛り上がった凸状立体形状部を有している吸収性物品によれば、上記課題を解決できることを見出し、本発明を完成するに至った。具体的には、本発明は、以下のものを提供する。
【００１０】
（１）本発明の第１の態様は、液透過性のトップシートと、液不透過性のバックシートと、トップシート及びバックシートの間に配置された吸収体と、からなる吸収性物品であって、長手方向中央部における、バックシートの幅方向両端部に、下着又は併用する紙おむつのトップシートへの固定手段を有し、前記吸収体は、排尿域において、周囲から盛り上がった凸型立体形状部を有している、吸収性物品である。
【００１１】
（２）本発明の第２の態様は、（１）に記載の吸収性物品であって、前記固定手段が、メカニカルフック、粘着テープ、又は粘着剤であることを特徴とするものである。
【００１２】
（３）本発明の第３の態様は、（１）又は（２）に記載の吸収性物品であって、前記凸型立体形状部の長手方向の寸法が、２０ｍｍ以上２３０ｍｍ以下、幅方向の寸法が１０ｍｍ以上１８０ｍｍ以下、高さが２ｍｍ以上１０ｍｍ以下であることを特徴とするものである。
【００１３】
（４）本発明の第４の態様は、（１）から（３）のいずれかに記載の吸収性物品であって、前記固定手段が設けられたバックシートの部位の、長手方向両端部側に、幅方向中心線側に向けた切れ込みが設けられており、前記固定手段が設けられたバックシートの部位が、折り返し可能となっていることを特徴とするものである。
【００１４】
（５）本発明の第５の態様は、（４）に記載の吸収性物品であって、前記固定手段が設けられたバックシートの部位の、幅方向の寸法が、前記固定手段が設けられていないバックシートの幅方向の寸法と同じか、それよりも小さいことを特徴とするものである。
【発明の効果】
【００１５】
本発明の吸収性物品は、長手方向中央部における、バックシートの幅方向両端部に、下着又は併用する紙おむつのトップシートへの固定手段を有しているので、吸収性物品の着用時のずれが効果的に防止される。また、本発明の吸収性物品は、吸収体が、排尿域において、周囲から盛り上がった凸型立体形状部を有しているので、吸収性物品の着用者への密着性が良好なものとなる。したがって、本発明の吸収性物品は、漏れが防止され、吸収性能に優れたものとなる。
【図面の簡単な説明】
【００１６】
【図１】本発明の吸収性物品の平面図を示す図面である。
【図２】図１におけるＸ１−Ｘ１断面図を示す図面である。
【図３】比較例１の吸収性物品の平面図を示す図面である。
【図４】比較例２の吸収性物品の平面図を示す図面である。
【図５】比較例３の吸収性物品の平面図を示す図面である。
【図６】本発明の別の態様における吸収性物品の平面図を示す図面である。
【発明を実施するための形態】
【００１７】
＜吸収性物品＞
本明細書の説明において、吸収性物品１の着用時とは、吸収性物品１の装着時及び装着後の少なくとも一方をいう。吸収性物品１の長手方向とは、吸収性物品１が着用されたときに着用者の前後に亘る方向であり、図中、符号Ｙで示す方向である。また、吸収性物品１の幅方向とは、長手方向に対して横又は直交する方向であり、図中、符号Ｘで示す方向である。さらに、身体側表面とは、吸収体２３等の各部材の表裏両面のうち、着用時に着用者の肌側に配される面であり、衣類側表面とは、吸収体２３等の各部材の表裏両面のうち、着用時に着用者の肌側とは反対側に向けられる面である。体液とは、尿、血液、軟便中の水分等の体内から体外に排出された液体をいう。さらに、吸収性物品１の用途は、特に限定されるものではなく、一般には、幼児又は成人用を問わず、テープ止めタイプの使い捨ておむつ、パンツタイプの使い捨ておむつ、尿取りパッド、軽失禁パッド、生理用品等であってもよいが、本発明は、テープ止めタイプ及びパンツタイプの使い捨ておむつと併用される尿取りパッドに好適に適用される。
【００１８】
図１は、本発明の吸収性物品の平面図であり、図２は、図１におけるＸ１−Ｘ１断面図である。本発明の吸収性物品１においては、吸収体２３は、着用者の腹側に位置する前方域１Ａ、着用者の背側に位置する後方域１Ｃと、着用者の股間部に接する排尿域１Ｂに区分される。
【００１９】
吸収性物品１は、身体側表面に配された液透過性のトップシート２１と、トップシート２１に対向して配置された液不透過性のバックシート２２と、トップシート２１とバックシート２２との間に少なくとも１層配置された吸収体２３と、を備えている。
【００２０】
また、吸収性物品１には、使用者の排泄した体液の横漏れを防止するため、吸収性物品１の長手方向に沿って、トップシート２１上に、立体ギャザー用弾性部材２４ａを有する一対の立体ギャザー２４を備えていてもよい。吸収性物品１の幅方向における立体ギャザー２４の外端は、バックシート２２に固定され、その内端はトップシート２１に固着され、その中央はトップシート２１に固定されない自由端となるように、立体ギャザーシート２４ｂが配される。立体ギャザー用弾性部材２４ａを長手方向に沿って設けることで、立体ギャザー２４が起立性を有し、着用者の体型に合わせて変形可能なものとなる。立体ギャザー用弾性部材２４ａとしては、例えば、ポリウレタン糸、帯状のポリウレタンフィルム、糸状又は帯状の天然ゴム等が使用され、立体ギャザーシート２４ｂとしては、疎水性繊維にて形成された撥水性又は不透液性の不織布、例えば、スパンボンド不織布やメルトブロー不織布、スパンボンド／メルトブロー／スパンボンドを積層した複合不織布等が使用される。
【００２１】
［トップシート］
トップシート２１は、体液が吸収体２３へと移動するような液透過性を備えた基材から形成すればよく、例えば、サーマルボンド不織布、スパンボンド不織布等の不織布、サーマルボンド／スパンボンドを積層した複合不織布、開口ポリエチレンフィルム等の開口性フィルム、ポリエチレンフォーム、ウレタンフォーム等の発泡フィルム、あるいは、これらを積層した複合シートといった材料から形成される。また、トップシート２１には、液透過性を向上させるために、表面にエンボス加工や穿孔加工を施してもよい。これらのエンボス加工や穿孔加工を施すための方法としては、公知の方法を制限なく実施することができる。また、肌への刺激を低減させるため、トップシート２１には、ローション、酸化防止剤、抗炎症成分、ｐＨ調整剤、抗菌剤、保湿剤等を含有させてもよい。さらに、強度及び加工性の点から、トップシート２１の坪量は、１８ｇ／ｍ２以上４０ｇ／ｍ２以下であることが好ましい。トップシート２１の形状としては特に制限はないが、漏れがないように体液を吸収体２３へと誘導するために必要とされる、吸収体２３を覆う形状であればよい。
【００２２】
［バックシート］
バックシート２２は、吸収体２３が保持している体液が衣類を濡らさないような液不透過性を備えた基材を用いて形成すればよく、樹脂フィルムや、樹脂フィルムと不織布とを積層した複合シートといった材料から形成される。複合シートに用いられる不織布としては、製法を特に限定せず、例えば、スパンボンド不織布やメルトブロー不織布、あるいは、スパンボンド／メルトブロー、スパンボンド／メルトブロー／スパンボンドを積層した複合不織布及びこれらの複合材料が挙げられる。また、樹脂フィルムとしては、例えば、ポリエステル、ポリビニルアルコール、ポリエチレン、ポリプロピレン、ポリエチレンとポリプロピレンの複合フィルム等が挙げられる。
【００２３】
強度及び加工性の点から、バックシート２２の坪量は、１５ｇ／ｍ２以上４０ｇ／ｍ２以下であることが好ましい。また、装着時の蒸れを防止するため、バックシート２２は、通気性を持たせることが好ましい。バックシート２２に通気性を備えさせるためには、例えば、基材の樹脂フィルムにフィラーを配合したり、バックシート２２にエンボス加工を施したりすればよい。なお、フィラーとしては炭酸カルシウムを挙げることができ、その配合方法は、公知の方法を制限なく行うことができる。
【００２４】
［固定手段］
図１及び図２に示すように、本発明の吸収性物品１は、長手方向中央部における、バックシート２２の幅方向両端部に、下着又は併用する紙おむつ（例えば、パンツタイプ使い捨ておむつや、テープ止めタイプ使い捨ておむつ）のトップシートへの固定手段２２１を有し、これにより、吸収性物品１全体を、下着や併用する紙おむつに固定できるようになっている。このような構成を採用することにより、吸収性物品１の着用時における吸収性物品１のずれを防止し、体液の漏れを効果的に予防することができる。固定手段２２１の寸法は、特に限定されるものではないが、長手方向の寸法が、２０ｍｍ以上２００ｍｍ以下であることが好ましく、幅方向の寸法が５ｍｍ以上５０ｍｍ以下であることが好ましい。固定手段２２１は、メカニカルフック、粘着テープ、粘着剤等により構成されていることが好ましい。
【００２５】
本発明の一態様においては、図６に示すように、固定手段２２１が設けられたバックシート２２の部位の、長手方向両端部側に、幅方向中心線側に向けた切れ込み２２２が設けられていることが好ましい。このような構成を採用することにより、固定手段２２１が設けられたバックシート２２の部位が、衣類側に折り返し可能となり、下着を挟持するようにして、固定手段２２１が設けられたバックシート２２の部位を衣類側に折り返し、下着の衣類側表面に固定手段２２１を固定することにより、確実に、吸収性物品１を固定することが可能となる。
【００２６】
なお、本発明においては、固定手段２２１が設けられたバックシート２２の部位の、幅方向の寸法が、固定手段２２１が設けられていないバックシート２２の幅方向の寸法と同じか、それよりも小さいことが好ましい。このような構成を採用することにより、固定手段２２１を設けるために、バックシート２２等の資材の使用量を増大させることがなく、所期の目的を達成しつつも製造コストを効果的に抑えることができる。
【００２７】
［吸収体］
吸収体２３は、基材としての吸収性繊維と、高吸収性ポリマー（ＳＡＰ）と、を含有することが好ましい。吸収性繊維は、一般に生理用ナプキンや紙おむつ、尿取りパッド等の吸収性物品に使用されるものであれば特に制限はなく、例えば、フラッフパルプ、コットン、レーヨン、アセテート、ティシュ、吸収紙、親水性不織布等を挙げることができる。これらの中でも、吸収性の観点から、フラッフパルプを使用することが好ましい。斯かるフラッフパルプとしては、木材パルプ、合成繊維、ポリマー繊維、非木材パルプ等を綿状に解繊したものを挙げることができる。吸収体２３の吸収性繊維は、吸収性能及び肌触りを損なわないよう、１００ｇ／ｍ２以上８００ｇ／ｍ２以下の坪量とすることが好ましい。
【００２８】
吸収体２３の高吸収性ポリマーとしては、体液を吸収し、かつ、逆流を防止できるものであれば特に制限はなく、ポリアクリル酸ナトリウム系、ポリアスパラギン酸塩系、（デンプン−アクリル酸）グラフト共重合体、（アクリル酸−ビニルアルコール）共重合体、（イソブチレン−無水マレイン酸）共重合体及びそのケン化物等の材料から形成されたものを使用することができる。これらの中でも、重量当たりの吸収量の観点から、ポリアクリル酸ナトリウム系が好ましい。吸収体２３のＳＡＰ量は、吸収性能及び肌触りを損なわないよう、５０ｇ／ｍ２以上５００ｇ／ｍ２以下の坪量とすることが好ましく、１５質量％以上５０質量％以下の含有量とすることが好ましい。
【００２９】
吸収体２３において、吸収性繊維及びＳＡＰの形態は、吸収性繊維中にＳＡＰ粒子を混合して形成したもの、あるいは、吸収性繊維間にＳＡＰ粒子を固着したＳＡＰシートとしたものであることが好ましい。また、ＳＡＰ粒子の漏洩防止や吸収体２３の形状の安定化の目的から、吸収体２３をキャリアシートに包むことが好ましい。キャリアシートの基材としては親水性を有するものであればよく、ティシュ、吸収紙、エアレイド不織布等の親水性不織布を挙げることができる。キャリアシートを複数備える場合は、キャリアシートの基材は同一のものであっても異なるものであってもよい。
【００３０】
吸収体２３は、上層吸収体と下層吸収体とを積層してなるものであることが好ましい。この場合、上層吸収体と下層吸収体の長手方向及び幅方向の長さは、上層吸収体の長さが下層吸収体の長さより長くてもよく、上層吸収体の長さが下層吸収体の長さと同じであってもよく、上層吸収体の長さが下層吸収体の長さより短くてもよい。
【００３１】
（凸型立体形状部）
本発明の吸収性物品１においては、吸収体２３が、排尿域１Ｂにおいて、周囲に比して盛り上がった凸型立体形状部２３１を有している。吸収体２３の排尿域１Ｂに、凸型立体形状部２３１が設けられていることにより、吸収体２３の、着用者の尿道口に対する密着性が良好になり、着用者から排泄される体液を、漏れを起こすことなく、効果的に吸収することができるようになる。凸型立体形状部２３１の平面形状は、特に限定されるものではないが、着用者の股間部の形状に合わせ、円形状や楕円形状であることが好ましく、中央部にくびれを有していてもよい。また、凸型立体形状部２３１は、その頂部が平坦に形成されている円柱状又は円錐台形の形状であってもよいし、中央部に近づくほど、その高さが高くなるような丘状の形状であってもよい。
【００３２】
凸型立体形状部２３１の寸法は、その長さが２０ｍｍ以上２３０ｍｍ以下、その幅が１０ｍｍ以上１８０ｍｍ以下、その高さが２ｍｍ以上１０ｍｍ以下であることが好ましく、長さが４０ｍｍ以上１５０ｍｍ以下、幅が２０ｍｍ以上１００ｍｍ以下、高さが３ｍｍ以上６ｍｍ以下であることがより好ましい。凸型立体形状部２３１の寸法が、上記の範囲内のものであることにより、凸型立体形状部２３１が、着用者の股間部にフィットし、体液の漏れを効果的に防止することができる。
【００３３】
本発明の吸収性物品１は、長手方向の寸法が３００ｍｍ以上６００ｍｍ以下、幅方向の寸法が１００ｍｍ以上３００ｍｍ以下のものであることが好ましい。また、吸収性物品１の形態は、尿取りパッドであることが好ましく、特にテープ止めタイプ及びパンツタイプの使い捨ておむつと併用される尿取りパッドであることが好ましい。
【００３４】
＜吸収性物品の製造方法＞
吸収性物品１の製造方法は、周知の方法を採用することができ、例えば、（Ａ）吸収性繊維を高吸収性ポリマーとともに積繊して吸収体マットを作製し、吸収体２３を形成する工程、（Ｂ）トップシート２１と立体ギャザー２４をホットメルト系接着剤で固定・一体化する工程、（Ｃ）トップシート２１、立体ギャザー２４、及びバックシート２２の内側にホットメルト系接着剤を塗工する工程、（Ｄ）集合ドラムにおいて、吸収体２３の上部にトップシート２１を、吸収体２３の下部にバックシート２２を配置し、各構成部材を固定・一体化する工程、（Ｅ）吸収性物品１の半製品をカッター装置により製品寸法でカットし、個々の吸収性物品１を切り離す工程、を有する製造方法等を挙げることができる。そして、本発明において吸収性物品１の吸収体２３を成形する際には、吸収体２３のトップシート２１側に、所定の凸型立体形状部２３１を形成し、吸収性物品１を一体化した後などに、バックシート２２上の所定位置に固定手段２２１を設ければよい。
【実施例】
【００３５】
以下、本発明について、実施例を挙げて詳細に説明する。なお、本発明は以下に示す実施例に何ら限定されるものではない。
【００３６】
＜実施例１＞
（吸収体の作製）
パルプシートを粉砕して解繊したフラッフパルプ２０ｇと、高吸収性ポリマー６ｇとをともに積繊した吸収体マットを準備し、長さ４００ｍｍ、幅１２０ｍｍにカットし、トップシート側に、表１に示すような凸型立体形状部（長さ１２０ｍｍ、幅５０ｍｍ、高さ４ｍｍ）を形成した吸収体を用意した。この吸収体を用いて、長さ４５０ｍｍ、幅１６０ｍｍの尿取りパッドを作製し、実施例１のサンプルとした。なお、トップシートとしては、エアスルー不織布（坪量２２ｇ／ｍ２）を用い、バックシートとしては、通気性ポリエチレンフィルム（坪量３５ｇ／ｍ２）を用い、長手方向中央部における、バックシートの幅方向両端部には、ポリプロピレン製フックテープ（メカニカルフック）から構成される固定手段を設けた。得られた尿取りパッドの排尿域における、吸収速度、液戻り量を以下に従って測定・評価するとともに、モニターテストの官能評価により、尿漏れし難さ、着用感（フィット性）を評価した。得られた結果を表１に示す。
【００３７】
（吸収速度）
外径８０ｍｍの円柱の中央に内径３０ｍｍの穴が開いており、重さ２ｋｇとした測定冶具を、トップシートを上に向けた状態で、尿取りパッドの長手方向、かつ幅方向の中央部の上に置き、上部の穴から生理食塩水１５０ｍｌを投下し、生理食塩水が尿取りパッドに接触した時点から、測定治具中央円内の円周に生理食塩水が完全に吸い込まれるまでを終点として時間を計測し、吸収速度とした。
【００３８】
（液戻り量）
吸収性物品の中央に生理食塩水３００ｍｌを注入し、１０分経過後に、あらかじめ重量を測定したろ紙（ＡＤＶＡＮＴＥＣ社製Ｎｏ．２ろ紙、直径５５ｍｍ）を注入部の中心に置き、ろ紙の上に６８７ｇの錘を載せた（圧力；３５ｇｆ／ｃｍ２）。錘を載せてから１分経過後に、ろ紙の重量を測り、試験前後のろ紙の重量差（ｇ）を液戻り量とした。液戻り量は、Ｎ＝１０サンプルについて行ったものの平均値とした。液戻り量が少ないほど吸収性能に優れる。
【００３９】
（尿漏れし難さ）
２０名のパネラーにより、吸収性物品の着用時の横漏れについて、「尿漏れがある」又は「尿漏れがない」の選択で調査を行い、以下の基準により評価を行った。
◎：「尿漏れがない」が１６人以上２０人以下のとき
○：「尿漏れがない」が１１人以上１５人以下のとき
△：「尿漏れがない」が６人以上１０人以下のとき
×：「尿漏れがない」がいないか、１人以上５人以下のとき
【００４０】
（着用感（フィット性））
２０名のパネラーにより、吸収性物品の着用時のフィット性について、「着用感がよい」又は「着用感が悪い」、及び「フィット性がよい」又は「フィット性が悪い」の選択で調査を行い、以下の基準により評価を行った。
◎：「着用感がよい」「フィット性がよい」が１６人以上２０人以下のとき
○：「着用感がよい」「フィット性がよい」が１１人以上１５人以下のとき
△：「着用感がよい」「フィット性がよい」が６人以上１０人以下のとき
×：「着用感がよい」「フィット性がよい」がいないか、１人以上５人以下のとき
【００４１】
＜比較例１及び２＞
凸型立体形状部のみを形成せず（比較例１）、固定手段のみを形成せず（比較例２）、又は凸型立体形状部も固定手段もいずれも形成しなかった（比較例３）点以外は、実施例１と同様にして吸収性物品を作製し、実施例１と同一の試験・評価を行った。なお、比較例１、２、及び３の吸収性物品の平面図をそれぞれ図３、４、及び５に示した。
【００４２】
以上の結果を表１に示す。
【表１】
2018033734.tif 000003
【００４３】
表１より明らかなように、凸型立体形状部を設けたことにより、排尿域における吸収速度が向上し、液戻り量も低減した。加えて、凸型立体形状部を設けたことにより、尿漏れし難さ及び着用感が改善した（実施例１及び比較例１）。さらに、固定手段を設けたことにより、尿漏れし難さ及び着用感が改善した（実施例１及び比較例２）。以上の結果より、凸型立体形状部及び固定手段を設けることにより、吸収性物品の吸収性能が改善されるとともに、尿漏れが効果的に抑制され、着用感が改善したことが分かる。
【符号の説明】
【００４４】
１        吸収性物品
１Ａ      前方域
１Ｂ      排尿域
１Ｃ      後方域
２１      トップシート
２２      バックシート
２２１    固定手段
２２２    切れ込み
２３      吸収体
２３１    凸型立体形状部
２４      立体ギャザー
２４ａ    立体ギャザー用弾性部材
２４ｂ    立体ギャザーシート
Ｙ        長手方向
Ｘ        幅方向
【図１】
2018033734.tif 000004
【図２】
2018033734.tif 000005
【図３】
2018033734.tif 000006
【図４】
2018033734.tif 000007
【図５】
2018033734.tif 000008
【図６】
2018033734.tif 000009